(57)【要約】【課題】安全面で優れた電気掃除機を提供する。【解決手段】塵埃を吸引するためのファンモータと、塵埃を吸引する吸い込み具に連通し、塵埃を捕集するための集塵室と、前記ファンモータを覆う上部本体と、前記集塵室を覆い前記上部本体上の回動軸に軸受部を嵌合させることにより回動自在に取付けた集塵室蓋を備え、前記集塵室蓋を開けたときに前記集塵室蓋上に設けたフック部を前記上部本体上に設けた溝部の上端に引っ掛けることで前記集塵室蓋を前記上部本体から外れないように構成することにより、万が一前記前記回動軸または前記軸受部が破損した場合は前記フック部が前記溝部の上端に引っ掛かった状態のまま保持されるため、前記本体が落下する危険性を防止できる。【選択図】図１
2010227475.tif 000002
【特許請求の範囲】
【請求項１】
塵埃を吸引するためのファンモータと、塵埃を吸引する吸い込み具に連通し、塵埃を捕集するための集塵室と、前記ファンモータを覆う上部本体と、前記集塵室を覆い前記上部本体の回動軸に軸受部を嵌合させることにより回動自在に取付けた集塵室蓋を備え、前記集塵室蓋を開けたときに前記集塵室蓋上に設けたフック部を前記上部本体に設けた溝部の上端に引っ掛けることで前記集塵室蓋を前記上部本体から外れないように構成した電気掃除機。
【請求項２】
前記上部本体上の前記溝部の幅を前記集塵室蓋上の前記フック部の幅と同等にした構成の請求項１項記載の電気掃除機。
【請求項３】
前記集塵室蓋上の前記フック部を前記上部本体との回動用の軸受部と同一面上に設けた構成の請求項１または２項記載の電気掃除機。
【請求項４】
前記集塵室蓋を開けたときの最大の回転角度を９０度より大きくした構成の請求項１から３のいずれか１項記載の電気掃除機。
【発明の詳細な説明】
【技術分野】
【０００１】
本発明は一般家庭で使用される電気掃除機に関するもので、特に安全性に関するものである。
【背景技術】
【０００２】
従来の電気掃除機を、図６および図７を用いて説明する。図６および図７に示す電気掃除機は、本体１０に塵埃を吸引するためのファンモータ１１と、塵埃を吸引する吸い込み具に連通し、塵埃を捕集するための集塵室１２と、前記ファンモータ１１を覆う上部本体１３と、前記集塵室１２を覆い前記上部本体１３上の回動軸１４に軸受部１５を嵌合させることにより回動自在に取付けた集塵室蓋１６を備えている。（例えば、特許文献１参照）。
【特許文献１】特許第２８４１５８２号公報
【発明の開示】
【発明が解決しようとする課題】
【０００３】
しかしながら上記従来の電気掃除機の構成では、図７に示すように前記集塵室蓋１６を開いた状態で前記集塵室蓋１６を持って移動させた際に、万が一前記回動軸１４が破損すると、前記集塵室蓋１６と前記本体１０間の嵌合が外れるため、前記本体１０が足の上に落下して怪我をするといった危険性があった。
【０００４】
本発明は上記課題を解決するもので、安全性に優れた電気掃除機を提供することを目的としている。
【課題を解決するための手段】
【０００５】
上記課題を解決するために本発明は、塵埃を吸引するためのファンモータと、塵埃を吸引する吸い込み具に連通し、塵埃を捕集するための集塵室と、前記ファンモータを覆う上部本体と、前記集塵室を覆い前記上部本体上の回動軸に軸受部を嵌合させることにより回動自在に取付けた集塵室蓋を備え、前記集塵室蓋を開けたときに前記集塵室蓋上に設けたフック部を前記上部本体に設けた溝部の上端に引っ掛けることで前記集塵室蓋を前記上部本体から外れないように構成することにより、万が一前記前記回動軸または前記軸受部が破損した場合は前記フック部が前記溝部の上端に引っ掛かった状態のまま保持されるため、前記本体が落下する危険性を防止できる安全性に優れた電気掃除機を提供することができる。
【発明の効果】
【０００６】
本発明は、安全性に優れた電気掃除機を提供することができる。
【発明を実施するための最良の形態】
【０００７】
第１の発明は、塵埃を吸引するためのファンモータと、塵埃を吸引する吸い込み具に連通し、塵埃を捕集するための集塵室と、前記ファンモータを覆う上部本体と、前記集塵室を覆い前記上部本体上の回動軸に軸受部を嵌合させることにより回動自在に取付けた集塵室蓋を備え、前記集塵室蓋を開けたときに前記集塵室蓋上に設けたフック部を前記上部本体上に設けた溝部の上端に引っ掛けることで前記集塵室蓋を前記上部本体から外れないように構成することにより、万が一前記前記回動軸または前記軸受部が破損した場合は前記フック部が前記溝部の上端に引っ掛かった状態のまま保持されるため、前記本体が落下する危険性を防止できる安全性に優れた電気掃除機を提供することができる。
【０００８】
第２の発明は、前記上部本体上の前記溝部の幅を前記集塵室蓋上の前記フック部の幅と同等にすることで、前記集塵室蓋を開けて前記フック部が前記溝部に挿入された時点で前記フック部の左右方向の動作を抑制させることができるため、前記回動軸が前記軸受部から外れて前記本体が落下する危険性を防止する安全性に優れた電気掃除機を提供することができる。
【０００９】
第３の発明は、前記集塵室蓋上の前記フック部を前記上部本体との回動用の前記軸受部と同一面上に設けたことにより、部品形状および金型作成を簡素化することができるコスト面に優れた電気掃除機を提供することができる。
【００１０】
第４の発明は、前記集塵室蓋を開けたときの最大の回転角度を９０度より大きくすることにより、前記フック部は金型上アンダーカット形状にしなくても、前記集塵室蓋を開けたときに前記溝部の上端に引っ掛けることができるため、金型作成費用の低減を図ることができるコスト面で優れた電気掃除機を提供することができる。
【００１１】
（実施の形態１）
本発明の第１の実施の形態について図１〜図５を用いて説明する。図１〜図５において、本体１は塵埃を吸引するためのファンモータ２と、吸引した塵埃を捕集するための集塵室３と、前記ファンモータ２を覆う上部本体４と、前記集塵室３を覆い前記上部本体４の回動軸５に軸受部６を嵌合させることにより回動自在に取付けた集塵室蓋７で構成されており、図２のように、前記集塵室蓋７を開けたときに前記集塵室蓋７上に設けたフック部８を前記上部本体４に設けた溝部９の上端に引っ掛けることで前記集塵室蓋７を前記上部本体４から外れないようにしている。
【００１２】
このため、万が一前記前記回動軸５または前記軸受部６が破損した場合は、図２に示すように、前記フック部８が前記溝部９の上端に引っ掛かった状態のまま保持されるため、前記本体１が落下する危険性を防止できる安全性に優れた電気掃除機を提供することができる。
【００１３】
また、図３に示すように、前記上部本体４の前記溝部９の幅を前記集塵室蓋７上の前記フック部８の幅と同等にすることで、前記集塵室蓋７を開けて前記フック部８が前記溝部９に挿入された時点で前記フック部８の左右方向の動作を抑制させることができるため、前記回動軸５が前記軸受部６から外れて前記本体１が落下する危険性を防止する安全性に優れた電気掃除機を提供することができる。
【００１４】
また、図４に示すように、前記集塵室蓋７上の前記フック部８を前記上部本体４との回動用の前記軸受部６と同一面上に設けたことにより、図３に示すように複数の突出部で形成することに比べて、部品形状および金型作成を簡素化することができるコスト面に優れた電気掃除機を提供することができる。
【００１５】
また、図２に示すように、前記集塵室蓋７を開けたときの最大の回転角度Ａを９０度より大きくすることにより、前記フック部８は図５に示すように、金型上アンダーカット形状にしなくても、前記集塵室蓋７を開けたときには図２に示すように、前記溝部９の上端に引っ掛けることができるため、金型作成費用の低減を図ることができるコスト面で優れた電気掃除機を提供することができる。
【産業上の利用可能性】
【００１６】
以上のように、本発明にかかる電気掃除機は安全面に優れた極めて有用なものである。
【図面の簡単な説明】
【００１７】
【図１】本発明の実施の形態１を示す電気掃除機の要部断面図
【図２】同電気掃除機の要部断面図
【図３】同電気掃除機の要部断面図
【図４】同電気掃除機の要部断面図
【図５】同電気掃除機の要部断面図
【図６】従来の電気掃除機の要部断面図
【図７】従来の電気掃除機の要部断面図
【符号の説明】
【００１８】
２  ファンモーター
３  集塵室
４  上部本体
７  集塵室蓋
８  フック部
９  溝部
【図１】
2010227475.tif 000003
【図２】
2010227475.tif 000004
【図３】
2010227475.tif 000005
【図４】
2010227475.tif 000006
【図５】
2010227475.tif 000007
【図６】
2010227475.tif 000008
【図７】
2010227475.tif 000009